(57)【要約】  実験データに基づいて植物の発育をモデル化するコンピュータモデルを生成して使用するためのシステム、方法およびコンピュータプログラム製品が説明される。コンピュータモデルは、結果予測を改善するため、成長条件に関する想定を除去することができる。方法は、コンピュータモデルを使用して、特定の植物種や、植物の観測された成長条件および／または表現型特性に基づいて異なる成長条件を推奨する工程を含み得る。観測された成長条件は、センサおよび／または栽培者によって入力することができる。方法は、コンピュータモデルを使用して、栽培されている植物に対する最適なスケジューリングを促進する最適な成長条件を含む企画スケジュールを生成する工程を含み得る。推奨事項および／または企画スケジュールは、最適な条件下で成長させたモデル植物と栽培者が成長させた植物との表現型特性の比較を促進することができる。
2015502140.tif 000002
【特許請求の範囲】
【請求項１】
植物の成長に対する推奨事項を生成するためのコンピュータ実装方法であって、
プロセッサを有するサーバによって、特定の齢を経た、ある環境で栽培されている植物の成長条件データおよび表現型データを受信する工程であって、前記栽培されている植物は、植物種のメンバーであり、前記成長条件データは、前記特定の齢での前記環境の成長条件を示し、前記表現型データは、前記特定の齢で観測された前記植物の特性を示す、工程と、
前記サーバによって、前記成長条件データおよび前記表現型データをコンピュータモデルと比較する工程であって、前記コンピュータモデルは、実験データに基づき、前記植物種の発育の最適な進行を示し、前記最適な進行は、異なる齢での最適な成長条件および最適な表現型を含む、工程と、
前記サーバによって、前記栽培されている植物が前記コンピュータモデル、前記成長条件データおよび前記表現型データに基づいて最適に発育しているかどうかを決定する工程と、
前記サーバによって、前記特定の植物が最適に発育しているかどうかに基づいて特定の成長条件を推奨する工程と
を含む、方法。
【請求項２】
前記成長条件は、温度条件、照明条件または散水条件を含む、請求項１に記載の方法。
【請求項３】
推奨事項を決定する工程は、前記特定の齢での前記特定の植物のサイズを、前記特定の齢に対応する前記コンピュータモデルからの最適なサイズと比較する工程を含む、請求項１に記載の方法。
【請求項４】
前記サーバによって、モデル植物の写真を表示させる工程
をさらに含む、請求項１に記載の方法。
【請求項５】
前記モデル植物の写真を表示させる工程は、
前記サーバによって、前記特定の齢に対応する齢で表示すべき前記モデル植物の前記写真を表示させる工程であって、前記写真は、前記特定の齢での前記特定の植物の最適な外観を示す、工程
をさらに含む、請求項４に記載の方法。
【請求項６】
前記モデル植物の写真を表示させる工程は、
前記サーバによって、前記特定の齢以降の齢で表示すべき前記モデル植物の前記写真を表示させる工程であって、前記写真は、前記特定の齢以降の前記特定の植物の最適な外観を示す、工程
をさらに含む、請求項４に記載の方法。
【請求項７】
植物の成長に対する推奨事項を生成するためのシステムであって、
プロセッサを備えるサーバを備え、前記サーバは、
特定の齢を経た、ある環境で栽培されている植物の成長条件データおよび表現型データを受信し、前記栽培されている植物は、植物種のメンバーであり、前記成長条件データは、前記特定の齢での前記環境の成長条件を示し、前記表現型データは、前記特定の齢で観測された前記植物の特性を示し、
前記成長条件データおよび前記表現型データをコンピュータモデルと比較し、前記コンピュータモデルは、実験データに基づき、前記植物種の発育の最適な進行を示し、前記最適な進行は、異なる齢での最適な成長条件および最適な表現型を含み、
前記栽培されている植物が前記コンピュータモデル、前記成長条件データおよび前記表現型データに基づいて最適に発育しているかどうかを決定し、
前記特定の植物が最適に発育しているかどうかに基づいて特定の成長条件を推奨する
よう構成された、システム。
【請求項８】
前記成長条件は、温度条件、照明条件または散水条件を含む、請求項７に記載のシステム。
【請求項９】
前記サーバは、前記特定の齢での前記特定の植物のサイズを、前記特定の齢に対応する前記コンピュータモデルからの最適なサイズと比較するようさらに構成された、請求項７に記載のシステム。
【請求項１０】
前記サーバは、モデル植物の写真を表示させるようさらに構成された、請求項７に記載のシステム。
【請求項１１】
前記サーバは、前記特定の齢に対応する齢で表示すべき前記モデル植物の前記写真を表示させるようさらに構成され、前記写真は、前記特定の齢での前記特定の植物の最適な外観を示す、請求項１０に記載のシステム。
【請求項１２】
前記サーバは、前記特定の齢以降の齢で表示すべき前記モデル植物の前記写真を表示させるようさらに構成され、前記写真は、前記特定の齢以降の前記特定の植物の最適な外観を示す、請求項１０に記載のシステム。
【請求項１３】
植物に対する企画スケジュールを生成するためのコンピュータ実装方法であって、
プロセッサを有するサーバによって、インターフェースを介して、植物種および入力パラメータの選択を受信する工程であって、前記入力パラメータは、前記植物種の植物の発育に影響を及ぼす成長条件と関連付けられる、工程と、
前記サーバによって、コンピュータモデル、前記選択された入力パラメータおよび前記選択された植物種に基づいて企画スケジュールを決定する工程であって、前記企画スケジュールは、発育マイルストーンを含み、前記コンピュータモデルは、前記入力パラメータに対応する実験データを使用して前記植物の発育をモデル化する、工程と、
前記サーバによって、前記企画スケジュールを伝達する工程と
を含む、コンピュータ実装方法。
【請求項１４】
前記サーバによって、前記選択された入力パラメータを前記コンピュータモデルに入力する工程であって、前記選択された入力パラメータは、前記企画スケジュールを決定するために前記コンピュータモデルによって使用される、工程
をさらに含む、請求項１３に記載のコンピュータ実装方法。
【請求項１５】
前記特定の植物種と関連付けられたコンピュータモデルを選択する工程をさらに含む、請求項１３に記載のコンピュータ実装方法。
【請求項１６】
前記企画スケジュールは、異なる植物齢に対する推奨成長条件をさらに含む、請求項１３に記載のコンピュータ実装方法。
【請求項１７】
前記植物種の写真を表示させる工程であって、前記写真は、特定の齢での前記植物種の最適な外観を示す、工程
をさらに含む、請求項１６に記載のコンピュータ実装方法。
【請求項１８】
多数の入力パラメータは、完成サイズ、プラグトレイサイズ、温度または照明条件を含む、請求項１３に記載のコンピュータ実装方法。
【請求項１９】
植物種の植物の発育をモデル化するコンピュータモデルを生成するためのコンピュータ実装方法であって、
コンピューティングデバイスによって、植物種のモデル植物の発育と関連付けられた実験データを受信する工程であって、前記実験データは、異なる齢での成長条件および異なる齢での前記モデル植物の表現型特性の観測を含み、前記成長条件は、前記モデル植物の前記発育に影響を及ぼす、工程と、
前記サーバによって、前記異なる齢での最適な表現型特性および前記異なる齢での対応する成長条件を決定する工程と、
前記サーバによって、前記最適な表現型特性および対応する成長条件に基づいてコンピュータモデルを生成する工程であって、前記コンピュータモデルは、前記異なる齢での前記成長条件および前記最適な表現型特性に基づく前記植物種の前記発育の最適な進行を示す、工程と
を含む、方法。
【発明の詳細な説明】
【技術分野】
【０００１】
関連出願の相互参照
この出願は、２０１１年１０月２１日に出願された米国仮特許出願第６１／５４９，９８４号明細書の優先権を主張し、その開示は、その全体が参照により本明細書に組み込まれる。
【０００２】
本開示は、植物種の発育のモデリングに関し、具体的には、成長条件の推奨事項、企画スケジュールおよび／または実験データに基づいて植物種の発育をモデル化するコンピュータの生成に関する。
【背景技術】
【０００３】
食料生産者、農業従事者、個人などの栽培者や、他の栽培者は、生産、財務または個人目標を達成するため、一貫した品質の作物を生産する上での問題に直面する場合が多い。多くの場合、栽培者は、努力や時間を最小限に抑えながら、成長条件を最適化したり、結果を最大化したりする試みにおいて、無作為の試行錯誤技法を使用する。
【０００４】
従来の植物モデルは、植物発育をモデル化することを試みるが、これらのモデルは、実験データに基づいてモデルの結果を導くものとは限らない。それに従って、従来の植物モデルは、通常、不正確な結果または実際の現実世界の条件を反映することができない結果につながり得るという想定を踏まえる。例えば、従来のモデルは、単に１つの植物発育段階に対して、または、単一の環境条件に対してのみ応答が定量化される成長条件下で、生成することができる。それに加えて、従来の植物モデルは、通常、一般的過ぎるものであり、個々の栽培品種または変種に固有のものではない。従来のモデルによって予測される欠陥のある結果は、モデルの使用および有効性を制限する。その上、植物モデルの従来の使用は、成長条件の推奨事項を作成する際に栽培されている植物の実際の表現型特性を考慮することができないため、不完全である。さらに、植物モデルの従来の使用は、実験データに基づく、効率的な企画を促進する企画スケジュールを生成することができない。
【発明の概要】
【発明が解決しようとする課題】
【０００５】
したがって、実際の植物栽培を通じて入手された実験データに基づく客観的なコンピュータモデル、成長条件を推奨する推奨ツール、および、効率的な成長条件を促進する企画スケジュールが必要とされる。これらの問題および他の問題が存在する。
【課題を解決するための手段】
【０００６】
植物に対する成長条件を推奨するため、企画スケジュールを生成するため、および／または、植物発育をモデル化するための様々なシステム、方法およびコンピュータプログラム製品が説明される。
【０００７】
本発明のいくつかの実装形態では、例えば、成長条件を推奨するための方法は、特定の齢を経た、ある環境で栽培されている植物の成長条件データおよび表現型データを受信する工程を含み得る。いくつかの実装形態では、栽培されている植物は、植物種のメンバーであり、成長条件データは、植物の特定の齢でのその環境の成長条件を示し、表現型データは、特定の齢で観測された植物の特性を示す。
【０００８】
本発明のいくつかの実装形態では、成長条件を推奨するための方法は、成長条件データおよび表現型データを、実験データに基づく、植物種の発育の最適な進行を示すコンピュータモデルと比較する工程を含み得る。いくつかの実装形態では、最適な進行は、異なる齢での最適な成長条件および最適な表現型を含む。
【０００９】
本発明のいくつかの実装形態では、成長条件を推奨するための方法は、栽培されている植物がコンピュータモデル、成長条件データおよび表現型データに基づいて最適に発育しているかどうかを決定する工程を含み得る。
【００１０】
本発明のいくつかの実装形態では、成長条件を推奨するための方法は、特定の植物が最適に発育しているかどうかに基づいて特定の成長条件を推奨する工程を含み得る。例えば、特定の植物が小さ過ぎるか、またはそうでなければ、最適に発育していない場合は、推奨事項は、コンピュータモデルに従って成長条件を調整する（例えば、光量または他の成長条件を増加または減少する）という指示を含み得る。
【００１１】
本発明のいくつかの実装形態では、企画スケジュールを生成するための方法は、インターフェースを介して、植物種および入力パラメータの選択を受信する工程を含み得る。いくつかの実装形態では、入力パラメータは、植物種の植物の発育に影響を及ぼす成長条件と関連付けられる。本発明のいくつかの実装形態では、企画スケジュールを生成するための方法は、コンピュータモデル、選択された入力パラメータおよび選択された植物種に基づいて企画スケジュールを決定する工程を含み得る。いくつかの実装形態では、企画スケジュールは、発育マイルストーンを含む。いくつかの実装形態では、コンピュータモデルは、入力パラメータに対応する実験データを使用して植物の発育をモデル化する。本発明のいくつかの実装形態では、企画スケジュールを生成するための方法は、企画スケジュールを伝達する工程を含み得る。いくつかの実装形態では、企画スケジュールは、１つまたは複数のインターフェースを介して伝達することができる。インターフェースは、ウェブページ、モバイルアプリケーションもしくは他のインターフェースを含むか、または、ウェブページ、モバイルアプリケーションもしくは他のインターフェースを介して伝達することができる。
【００１２】
本発明のいくつかの実装形態では、植物種の植物の発育をモデル化するコンピュータモデルを生成するための方法は、植物種のモデル植物の発育と関連付けられた実験データを受信する工程を含み得る。いくつかの実装形態では、実験データは、異なる齢での成長条件および異なる齢でのモデル植物の表現型特性の観測を含む。
【００１３】
いくつかの実装形態では、コンピュータモデルを生成するための方法は、異なる齢での最適な表現型特性および異なる齢での対応する成長条件を決定する工程を含み得る。いくつかの実装形態では、コンピュータモデルを生成するための方法は、最適な表現型特性および対応する成長条件に基づいてコンピュータモデルを生成する工程を含み得る。いくつかの実装形態では、コンピュータモデルは、異なる齢での成長条件および最適な表現型特性に基づく植物種の発育の最適な進行を示す。
【００１４】
この明細書に組み込まれ、この明細書の一部を構成する添付の図面は、本発明の実装形態の１つまたは複数の例を示し、説明と併せて、本発明の様々な原理および態様の説明に役立つ。
【図面の簡単な説明】
【００１５】
【図１】本発明の様々な実装形態による、植物モデルを生成して使用するためのシステムを示すブロック図である。
【図２】本発明の様々な実装形態による、容器サイズに基づく企画スケジュールを表示するインターフェースのスクリーンショット図である。
【図３】本発明の様々な実装形態による、成長条件入力を受信し、成長条件入力に基づいて企画スケジュールを表示するインターフェースのスクリーンショット図である。
【図４】本発明の様々な実装形態による、照明入力を受信し、照明入力に基づいて企画スケジュールを表示するインターフェースのスクリーンショット図である。
【図５】本発明の様々な実装形態による、植物種に関連する様々な情報を表示するインターフェースのスクリーンショット図である。
【図６】本発明の様々な実装形態による、特定の植物種に対する最適スケジュールを表示するインターフェースのスクリーンショット図である。
【図７】本発明の様々な実装形態による、特定の植物種に対する様々なマイルストーンを含む最適スケジュールを表示するインターフェースのスクリーンショット図である。
【図８】本発明の様々な実装形態による、栽培されている植物の比較を促進する作物評価を表示するインターフェースのスクリーンショット図である。
【図９】本発明の様々な実装形態による、植物の成長に対する推奨事項を生成するためのプロセスの一例を示すフロー図である。
【図１０】本発明の様々な実装形態による、企画スケジュールを生成するためのプロセスの一例を示すフロー図である。
【図１１】本発明の様々な実装形態による、植物種の植物の発育をモデル化するコンピュータモデルを生成するためのプロセスの一例を示すフロー図である。
【発明を実施するための形態】
【００１６】
図１は、本発明の様々な実装形態による、植物に対するコンピュータモデルを生成して使用するためのシステム１００を示すブロック図である。本発明のいくつかの実装形態では、システム１００は、実験データを使用して、コンピュータモデル１３７を生成することができる。いくつかの実装形態では、コンピュータモデル１３７は、植物発育に影響を及ぼし、かつ、測定することができる、光、温度、容器サイズ、水および／または他の条件などの成長条件に基づいて、植物の発育をモデル化する。いくつかの実装形態では、システム１００は、最小限の時間での播種または挿し木から開花までの一貫した作物の生産を促進する。いくつかの実装形態では、実験データは、長年にわたる、グローバルに温室で適用された試験、科学実験および様々な比較試験に基づく。実験データに基づいて特定の客観的なガイドラインを生成することにより、ガイドラインのテストを行う栽培者は一貫した作物を実現し、作物の生産時間は短縮された。例えば、生産コストはより少なくなり、投資利益は大幅に改善された。その上、適正な環境条件を考慮すると、システム１００を使用して、いつでも、どこでも、一貫した品質の植物を生産することができる。
【００１７】
本発明のいくつかの実装形態では、コンピュータモデル１３７は、観測データのみに基づく。言い換えれば、不正確な結果につながり得るという想定は、使用されない。いくつかの実装形態では、コンピュータモデル１３７は、属または作物カテゴリ全体に対するものというよりむしろ、特定の植物種に固有のものである。このように、特定の植物種をモデル化するために従来のモデルを適用する際に踏まえる想定を回避することができる。言い換えれば、特定の植物種をモデル化するように設計されていないため、想定を踏まえる従来のモデルとは異なり、コンピュータモデル１３７は、特定の種に対する観測データに基づいて、その種をモデル化することができる。本明細書で使用される場合、「植物種」は、広義に使用され、異なるタイプの植物種、植物の変種、栽培品種、遺伝子間での交雑またはハイブリッドについて説明する。例えば、「植物種のメンバー」または同様の言語は、特定のタイプの植物種のメンバーであること、および／または、特定のタイプの植物の変種、栽培品種、遺伝子間での交雑もしくはハイブリッドであることを説明する。
【００１８】
いくつかの実装形態では、コンピュータモデル１３７は、特定の出力（表現型特性）を生じる特定の入力（成長条件）を有するシステムとして植物をモデル化する。例えば、植物発育の様々な時期において、コンピュータモデル１３７は、植物の発育をモデル化するため、成長条件（光量および／または他の成長条件など）や、表現型特性（栽培されている植物の観測サイズなど）に対するその影響を使用することができる。このように、植物発育の間の成長条件、および、表現型特性（サイズ、色、アクティブな根系、完成容器に比例するコンパクトな芽の成長、開花量、強化された保存性または他の観測可能な植物の特徴など）に対するそれらの影響をモデル化することができる。
【００１９】
本発明のいくつかの実装形態では、プログラム可能植物サーバ１３０は、コンピュータモデル１３７を生成することができる。本発明のいくつかの実装形態では、プログラム可能植物サーバ１３０は、栽培品種に対するモデル植物の発育と関連付けられた実験データを受信することができる。例えば、実験データは、異なる齢での成長条件および異なる齢でのモデル植物の表現型特性の観測を含む。このように、異なる齢での異なる条件および表現型特性（サイズまたは花など）に対するそれらの影響を観測し、その後、モデル化することができる。いくつかの実装形態では、実験データは、データベース１３１に格納することができる。本明細書で使用される場合、「モデル植物」は、様々な成長条件下で発育する間に観測され、かつ、コンピュータモデル１３７を生成するための基礎として使用される任意の植物種、ハイブリッド、栽培品種、変種またはクローンである。
【００２０】
いくつかの実装形態では、コンピュータモデル１３７は、追加データがモデルを微調整するか、またはそうでなければ、変更することができるように、反復的に更新することができる。これらの実装形態では、モデル植物は、必ずしもモデルに組み込むべき表現型特性を観測するために成長させるとは限らない植物を含み得る。例えば、栽培者が成長させた植物と関連して観測されたデータは、モデルを微調整／変更するためのモデル植物として役立つ可能性がある。
【００２１】
いくつかの実装形態では、コンピュータモデル１３７は、実際の作物生産システムで測定される、定量化された植物発育上の応答、表現型特性および環境条件から生成することができる。植物データ（例えば、発育マイルストーンまでの時間）は、結果を予測するモデルを生成するため、環境データ（例えば、温度および光）と統計的に比較される。いくつかの実装形態では、コンピュータモデル１３７は、栽培品種特有の係数を有する線形方程式と非線形方程式の両方からなり得る。いくつかの実装形態では、コンピュータモデル１３７の各コンポーネントは、個々の環境要因が植物応答に貢献し、これらの要因のうちのいくつかは相互作用することもできると想定する。例えば、暖かい温度条件下では、コンピュータモデル１３７は、表現型特性に不可欠な温度および光の相互作用の影響を予測することができる。本発明のいくつかの実装形態では、プログラム可能植物サーバ１３０は、異なる齢での最適な表現型特性および異なる齢での対応する成長条件を決定することができる。例えば、大きな花が望ましい場合は、同じ齢での他の成長条件と比べて最も大きな花（すなわち、最適条件）をもたらす特定の齢での成長条件を決定することができる。このように、モデル植物の特定の齢での最適な成長条件は、所定の植物種に対して決定することができる。
【００２２】
本発明のいくつかの実装形態では、プログラム可能植物サーバ１３０は、最適な表現型特性および対応する成長条件に基づいて、コンピュータモデル１３７を生成することができる。以前に論じられるように、コンピュータモデル１３７は、異なる齢での成長条件および最適な表現型特性に基づく植物種の発育の最適な進行を示すことができる。
【００２３】
本発明のいくつかの実装形態では、システム１００は、コンピュータモデル１３７によって予測された最適条件に基づいて、使用すべき特定の成長条件を推奨することができる。例えば、コンピュータモデル１３７に基づいて、システム１００は、栽培されている植物の特定の種、栽培されている植物が受け取っている光量、その齢および／またはその現サイズに基づいて、栽培されている植物が受け取る光量を変更することを推奨することができる。推奨事項は、栽培者が植物に対する成長条件を最適化する際に役立つ可能性がある。
【００２４】
本発明のいくつかの実装形態では、システム１００は、コンピュータモデル１３７を使用して、様々な植物種に対する企画スケジュールを生成することができる。企画スケジュールは、いくつかある情報の中で特に、使用する容器サイズ、他の成長条件および開花期などの様々なマイルストーンを含み得る。企画スケジュールは、栽培者がどの植物を成長させるか、いつ成長させるべきか、予測される成長率、および／または、植物選択もしくは最適な条件を促進する他の情報を特定する際に役立つ可能性がある。
【００２５】
前述は、本発明の様々な実装形態と関連付けられた非限定的な例である。様々なシステムコンポーネントに関するシステム１００の他の使用および実装形態は、以下の説明に基づいて、当業者に明らかになるであろう。
【００２６】
本発明の様々な実装形態によれば、システム１００は、これらに限定されないが、ネットワーク１１０と、センサ１２０（センサ１２０Ａ、１２０Ｂ、・・・、１２０Ｎとして図１に示され、これらは、以下では、特に別段の説明がない限り、「センサ１２０」と同じ意味で使用される）と、プログラム可能植物サーバ１３０と、クライアントデバイス１４０とを含み得る。本発明のいくつかの実装形態では、プログラム可能植物サーバ１３０は、データベース１３１を含むか、またはそうでなければ、データベース１３１と結合することができる。本発明のいくつかの実装形態では、センサ１２０、プログラム可能植物サーバ１３０、データベース１３１およびクライアントデバイス１４０は、ネットワーク１１０を介して、互いに通信可能に結合することができる。ネットワーク１１０は、ローカルエリアネットワーク、広域ネットワーク、セルラ通信ネットワーク、公衆交換電話網、および／または、他のネットワークもしくはネットワークの組合せを含み得る。
【００２７】
本発明のいくつかの実装形態では、センサ１２０は、植物と関連付けられた成長条件を検知する様々なデバイスを含み得る。例えば、センサ１２０は、制限なく、サーミスタ、熱電対、赤外線センサ、光合成有効放射センサ、全天日射計、電気伝導度センサ、ｐＨセンサ、土壌水分計、二酸化炭素および／または酸素センサを含み得る。
【００２８】
動作中、センサ１２０は、植物が栽培される、容器、他の容器、温室または土地など、ある環境近くまたはある環境中に配置することができる。例えば、制限なく、センサ１２０のすべてまたは一部分は、土壌中の湿気、栄養素またはｐＨレベルなどの成長条件、ならびに／あるいは、周囲温度および光などの成長条件を検知するため、植物が栽培されている土壌または他の成長培地中に配置することができる。理解されるように、センサ１２０は、成長条件を検知するか、またはそうでなければ、観測することができる場所であればどこでも配置することができる。いくつかの実装形態では、複数のセンサ１２０は、環境の異なる部分／場所を検知することができる。例えば、制限なく、異なるセンサ１２０は、温室全体を通じて成長条件を検知するため、温室中の異なる位置に配置することができる。
【００２９】
本発明のいくつかの実装形態では、クライアントデバイス１４０は、制限なく、プログラム可能植物サーバ１３０および／またはセンサ１２０との通信に使用することができる、電話、コンピュータ、スマートフォン、携帯電話、タブレットコンピュータおよび／または他のデバイスを含み得る。
【００３０】
本発明のいくつかの実装形態では、プログラム可能植物サーバ１３０は、いくつかある中で特に、センサ１２０および／またはクライアントデバイス１４０からの様々な入力に基づいて、栽培されている植物に対する成長条件を推奨することができる。例えば、いくつかの実装形態では、プログラム可能植物サーバ１３０は、栽培されている植物の環境を検知するセンサ１２０と関連付けられたセンサデータ、栽培されている植物の表現型特性について説明する表現型データおよび／または栽培されている植物の齢を示す齢情報を受信することができる。
【００３１】
本発明のいくつかの実装形態では、センサ１２０は、植物の環境から検知された１つまたは複数の成長条件を示すセンサデータをプログラム可能植物サーバ１３０に伝達することができる。言い換えれば、プログラム可能植物サーバ１３０は、センサ１２０からセンサデータを受信することができる。いくつかの実装形態では、センサデータは、後の回収および分析のためにデータベース１３１に格納することができる。いくつかの実装形態では、センサデータは、コンピュータモデル１３７の調整またはそうでなければ変更に使用することができる。
【００３２】
本発明のいくつかの実装形態では、センサ１２０は、リアルタイムでセンサデータを伝達することも、センサデータを格納して、格納されたセンサデータを、所々でまたはセンサデータを伝達するためのメカニズムで定期的に伝達することもできる。本発明のいくつかの実装形態では、センサ１２０は、プログラム可能植物サーバ１３０からおよび／またはクライアントデバイス１４０からの要求に応答してセンサデータを伝達することができる。本発明のいくつかの実装形態では、センサデータは、クライアントデバイス１４０を介してプログラム可能植物サーバ１３０にセンサデータをアップロードする農業従事者または他の栽培者などのユーザに応答して伝達される。
【００３３】
本発明のいくつかの実装形態では、センサ１２０は、プログラム可能植物サーバ１３０に直接、センサデータを伝達することができる。他の実装形態では、センサ１２０は、クライアントデバイス１４０、または、センサ１２０やプログラム可能植物サーバ１３０と通信可能に結合された他のデバイスなどの中間デバイスを介して、センサデータを伝達することができる。これらの実装形態では、センサ１２０は、有線（ユニバーサルシリアルバスなど）もしくは無線（ＢＬＵＥＴＯＯＴＨなど）通信リンクを介して、および／または、ネットワーク１１０を介して、中間デバイスと結合することができる。
【００３４】
本発明のいくつかの実装形態では、ユーザは、クライアントデバイス１４０を介して、センサデータまたは他の成長条件データ、表現型データ、栽培されている植物の齢をプログラム可能植物サーバ１３０にアップロードすることができる。いくつかの実装形態では、プログラム可能植物サーバ１３０は、ウェブサイトなどのインターフェースまたは様々な入力を受信する他のインターフェースを生成することができる。いくつかの実装形態では、プログラム可能植物サーバ１３０は、モバイルデバイスなどのクライアントデバイス１４０上で動作するモバイルアプリケーションなどのリモートインターフェースを介して、様々な入力を受信することができる。いくつかの実装形態では、成長条件データは、センサ１２０によって自動的に検知することができる。これらの実装形態では、検知された成長条件データは、通信リンクを介して、および／または、ユーザ（センサ１２０からセンサデータを得て、クライアントデバイス１４０を使用してセンサデータを手動で入力するユーザなど）による手動で、クライアントデバイス１４０に伝達することができる。他の実装形態では、ユーザは、温度計で周囲温度を測定して、クライアントデバイス１４０を介して温度を入力することによってなど、成長条件を手動で検知することができる。いくつかの実装形態では、表現型データは、ユーザが測定または観測して、プログラム可能植物サーバ１３０にアップロードすることができる。いくつかの実装形態では、モデルとの比較のため、写真機器または他の画像機器を使用して、植物サイズまたは植物の他の表現型特性を計算することができる。言い換えれば、いくつかの実装形態では、植物の表現型特性は、表現型特性を観測できる画像機器および／または他の機器を含み得るセンサ１２０から自動的に得ることができる。
【００３５】
本発明のいくつかの実装形態では、プログラム可能植物サーバ１３０は、成長条件データおよび表現型データをコンピュータモデル１３７と比較することができる。いくつかの実装形態では、コンピュータモデル１３７は、植物種の発育の最適な進行を示す。最適な進行は、異なる齢での最適な成長条件および最適な表現型を含み得る。言い換えれば、コンピュータモデル１３７は、所望の表現型結果を達成するため、植物が発育する際の特定の成長条件をモデル化する。これらの実装形態では、プログラム可能植物サーバ１３０は、栽培されている植物がコンピュータモデル１３７によって予測された最適条件に従って発育している（すなわち、最適に発育している）かどうかを決定するため、受信された成長条件データ、表現型データおよび齢情報を最適な進行と比較することができる。
【００３６】
いくつかの実装形態では、決定に基づいて、プログラム可能植物サーバ１３０は、成長条件を調整するための推奨事項を生成することができる。例えば、栽培者によって観測または入力された発育中の植物の齢およびサイズに基づいて、プログラム可能植物サーバ１３０は、栽培されている植物が、その齢の割に、コンピュータモデル１３７によって予測されたものより小さいことを決定することができる。それに従って、プログラム可能植物サーバ１３０は、植物に追加の光または温度の増加を提供するなどの成長条件の変更を推奨することができる。
【００３７】
本発明のいくつかの実装形態では、プログラム可能植物サーバ１３０は、様々な齢での特定の植物種の写真（カメラ写真またはビデオ静止画像など）を示すことができる。例えば、プログラム可能植物サーバ１３０は、植物種の写真を伝達させることができる。いくつかの実装形態では、写真は、コンピュータモデル１３７によって予測されるような植物の齢および／または最適な成長条件に従って、植物種のモデル植物の最適な外観を伝えることができる。このように、写真を使用して、栽培されている植物の外観をモデル植物と比較することができる。言い換えれば、写真は、栽培されている植物が最適に発育しているかどうかの決定を容易にすることができる。いくつかの実装形態では、写真は、植物のある齢以降、および／または、コンピュータモデル１３７によって予測されるような最適な成長条件に基づいて、植物種のモデル植物の最適な外観を伝えることができる。このように、写真を使用して、栽培されている植物がコンピュータモデル１３７によって予測されるように今後どのように見えるべきかを決定することができる。
【００３８】
いくつかの実装形態では、この開示全体を通じて説明されている写真の代わりにまたはそれに加えて、植物の実際の外観（すなわち、表現型特性）を示す他のグラフ表示を使用することができるが、それは、描写されている特定の植物の実際の表現型特性を描写するという点でグラフ表示が写真である場合に限られる。
【００３９】
本発明のいくつかの実装形態では、プログラム可能植物サーバ１３０は、特定の植物種に対する企画スケジュールを伝達することができる。言い換えれば、異なる植物種は異なる発育経路および要件を有し、それに応じて、異なる企画スケジュールと関連付けられることになる。いくつかの実装形態では、企画スケジュールは、発芽期もしくは挿し木期および開花期、理想的なもしくは最適な成長条件、植物種の写真（様々な発育段階／齢での写真を含み得る）および／または他の情報などの様々なマイルストーンを含む。これらの実装形態では、企画スケジュールは、栽培するため、および、植物種に対する栽培プロトコルを推奨するため、植物種の選択を導くことができる。例えば、企画スケジュールを閲覧した後、ユーザは、栽培するため、植物種を栽培すべき時期／方法を決定するため、および／または、植物種が経時的にどのように発育すべきか（すなわち、予測されるか）を決定するため、特定の植物種を選択することができる。
【００４０】
本発明のいくつかの実装形態では、プログラム可能植物サーバ１３０は、植物種に基づく企画スケジュールを伝達するインターフェースを露出するか、またはそうでなければ、伝達することができる。本発明のいくつかの実装形態では、プログラム可能植物サーバ１３０は、インターフェースを介して、植物種および入力パラメータの選択を受信することができる。本発明のいくつかの実装形態では、入力パラメータは、植物種の植物の発育に影響を及ぼす成長条件と関連付けられる。
【００４１】
本発明のいくつかの実装形態では、プログラム可能植物サーバ１３０は、コンピュータモデル１３７、選択された入力パラメータおよび選択された植物種に基づいて企画スケジュールを決定することができる。本発明のいくつかの実装形態では、企画スケジュールは、制限なく、発芽期、挿し木期、開花期などの発育マイルストーンまたは他の発育マイルストーンを含む。例えば、企画スケジュールは、選択された植物種の植物の発芽、開花または別の発育マイルストーンへの参入／完了が予測される時期の表示を含み得る。本発明のいくつかの実装形態では、企画スケジュールは、各発育マイルストーンと関連付けられた情報を含み得る。例えば、制限なく、企画スケジュールは、最適な成長条件（容器サイズ、完成サイズ、光量、温度および／または他の成長条件など）、モデル植物の写真、および／または、各発育マイルストーンに対する他の情報を含み得る。いくつかの実装形態では、情報は、各マイルストーンに対して異なる。言い換えれば、各マイルストーンは、異なる推奨成長条件、写真および／または他の情報と関連付けることができる。
【００４２】
本発明のいくつかの実装形態では、企画スケジュールを表示するインターフェースは、企画スケジュールを閲覧する植物種のユーザ選択を容易にする。例えば、プログラム可能植物サーバ１３０は、異なる植物種に対する企画スケジュールをデータベース１３１になど格納するか、またはそうでなければ、生成することができる。いくつかの実装形態では、企画スケジュールは、コンピュータモデル１３７によって予測された最適条件に基づいて生成される。
【００４３】
本発明のいくつかの実装形態では、企画スケジュールを表示するインターフェースは、１つまたは複数の成長条件のユーザ選択を容易にする。これらの実装形態では、企画スケジュールに対する成長条件の影響が表示される。例えば、制限なく、温度または光などの様々な成長条件を変更することによって、企画スケジュールを変更することができる。特定の例では、日の長さを変更することにより、特定の植物種の開花期を変更することができ、したがって、企画スケジュールを変更することになる。言い換えれば、異なる成長条件は、異なる企画スケジュールと関連付けることができる。企画スケジュールは、植物の所望の発育を達成するためにどの成長条件を使用すべきかについての分析を促進することができる。
【００４４】
本発明のいくつかの実装形態では、プログラム可能植物サーバ１３０は、企画スケジュールを伝達することができる。例えば、制限なく、プログラム可能植物サーバ１３０は、プログラム可能植物サーバ１３０によって露出されたウェブサイトを介して、第三者ウェブサイトとインターフェースをとるウェブサービスまたは他のインターフェースを介して、モバイルデバイス上で動作するモバイルアプリケーションまたは理解されるような他のインターフェースを介して、企画スケジュールを伝達することができる。このように、ユーザは、企画スケジュールを受信することができるクライアントデバイス１４０または他のデバイスを介して、企画スケジュールにアクセスすることができる。いくつかの実装形態では、例えば、ユーザは、ウェブサイトまたはモバイルアプリケーションにログオンして、パラメータを入力したり、企画スケジュールを閲覧したりすることができる。
【００４５】
本発明のいくつかの実装形態では、プログラム可能植物サーバ１３０は、選択された入力パラメータをコンピュータモデル１３７に入力することができ、その結果、選択された入力パラメータは、企画スケジュールを決定するためにコンピュータモデル１３７によって使用される。これらの実装形態では、コンピュータモデル１３７は、異なる入力パラメータ（成長条件など）がコンピュータモデル１３７の結果に影響を及ぼすように構成することができる。他の実装形態では、コンピュータモデル１３７は、各入力パラメータに特有のものである。例えば、コンピュータモデル１３７は、特定の容器サイズにのみ基づいて、植物種の植物をモデル化することができる。
【００４６】
本発明のいくつかの実装形態では、プログラム可能植物サーバ１３０は、選択された植物種と関連付けられたコンピュータモデル１３７を選択することができる。これらの実装形態では、コンピュータモデル１３７は、特定の植物種に特有のものであり得る。言い換えれば、異なるコンピュータモデル１３７は、異なる植物種に対応し得る。
【００４７】
本発明の様々な実装形態によれば、プログラム可能植物サーバ１３０は、プロセッサ１３５、メモリ１３７および／または本明細書に記載されるプログラム可能植物サーバ１３０の機能を促進する他のコンポーネントを含み得る。本発明のいくつかの実装形態では、プロセッサ１３５は、プログラム可能植物サーバ１３０の様々な機能を実行するよう構成された１つまたは複数のプロセッサを含む。本発明のいくつかの実装形態では、メモリ１３７は、１つまたは複数の有形の（すなわち、非一時的な）コンピュータ可読媒体を含む。メモリ１３７は、プロセッサ１３５によって実行される際、プログラム可能植物サーバ１３０の機能を実行するようにプロセッサ１３５を構成する１つまたは複数の命令を含み得る。
【００４８】
図２は、本発明の様々な実装形態による、容器サイズに基づく企画スケジュールを表示するインターフェース２００のスクリーンショット図である。理解されるように、図２および他の図面に示されるスクリーンショットは、単なる例示を目的とする。様々なコンポーネントの追加、削除、移動またはそうでなければ変更が可能であり、その結果、スクリーンショットの構成、外観および／またはコンテンツは、図に示されるものとは異なり得る。
【００４９】
いくつかの実装形態では、図２および他のスクリーンショット図に示される情報のすべてまたはいくつかは、植物種の発育をモデル化するコンピュータモデル（コンピュータモデル１３７など）に基づき得る。いくつかの実装形態では、インターフェース２００および他の図に示される他のインターフェースのコンテンツおよび／またはレイアウトのすべてまたはいくつかは、プログラム可能植物サーバ１３０によって生成または伝達することができる。
【００５０】
例えば、プログラム可能植物サーバ１３０は、ウェブページ、モバイルアプリケーションインターフェース、ウェブサービス、あるいは、本明細書に記載される様々なインターフェースのコンテンツおよび／またはレイアウトを伝達するよう構成された他のインターフェースなどのインターフェースを露出することができる。露出されたインターフェースは、入力（植物種表示、成長条件および／または写真など）を受信するユーザインターフェース要素（ドロップダウンメニュー、テキスト入力など）を表示させることができる。受信された入力のうちの１つまたは複数に基づいて、露出されたインターフェースは、本明細書に示される様々なインターフェースを表示させることができる。したがって、動作中、図２および他の図面に示される様々なインターフェースは、ウェブページ、モバイルアプリケーション、または、そのようなインターフェースを伝達するよう構成された他のインターフェースを介してアクセスすることができる。
【００５１】
本発明のいくつかの実装形態では、企画スケジュールは、ペラルゴニウムマーベリック（Ｐｅｌａｒｇｏｎｉｕｍ  Ｍａｖｅｒｉｃｋ）（商標）などの特定の栽培品種および特定の種の異なる変種と関連付けられた情報を含み得る。図２に示されるように、例えば、企画スケジュールは、表示された植物の種、栽培品種、変種などを栽培する総合的利益について説明するマーケティングポイントを含む。本発明のいくつかの実装形態では、企画スケジュールは、図２に示されるように、複数の表示種を表示することができる。
【００５２】
本発明のいくつかの実装形態では、企画スケジュールは、表示種の完成推奨事項および開花タイミングを表示する。本発明のいくつかの実装形態では、企画スケジュールは、表示種の写真を表示する（そして、種の異なる変種の写真を含み得る）。これらの実装形態では、ユーザは、植物種の最適な外観や、最適な外観を実現するための開花タイミングを閲覧することができる。
【００５３】
本発明のいくつかの実装形態では、企画スケジュールおよび／またはインターフェース２００は、開花タイミングに影響を及ぼし得る異なる成長条件の選択を容易にする。示されるように、例えば、企画スケジュールおよび／またはインターフェース２００は、選択と同時に、選択された容器に対応する異なる開花期が表示されるように、容器入力（「６０６フラット」、「４インチ」、「６インチ」、「１０インチＨＢ」、「容器」として図２に示される）などの選択可能な多数の入力を表示する。このように、企画スケジュールは、開花期に対する異なる容器の使用の影響を表示する。
【００５４】
図３は、本発明の様々な実装形態による、植物種入力および成長条件入力を受信し、入力に基づいて企画スケジュールを表示するインターフェース３００のスクリーンショット図である。本発明のいくつかの実装形態では、インターフェース３００は、企画スケジュールが表示される選択可能な多数の植物種を表示する。理解されるように、図３および他の図面では、様々なインターフェースメンバーを使用して入力を受信することができる。例えば、ドロップダウンの選択可能なメニューの代わりに、オープンテキストなどの他の入力を、ドロップダウンメニューの代わりにまたはそれに加えて使用することができる。いくつかの実装形態では、インターフェース３００は、植物種の選択可能な多数の特定の変種（「色」など）を表示する。いくつかの実装形態では、インターフェース３００は、「完成サイズ」、「プラグトレイサイズ」、「温度」および「光」などの成長条件の選択可能な多数のタイプを表示する。図３に示されるように、例えば、「ゼラニウムマーベリックスター（Ｇｅｒａｎｉｕｍ  Ｍａｖｅｒｉｃｋ  Ｓｔａｒ）」に対する「完成サイズ」が選択されている。いくつかの実装形態では、インターフェース３００は、異なる容器サイズなどの成長条件に対する選択可能な多数の入力を表示する。選択された植物種（例えば、「ゼラニウムマーベリックスター」）、成長条件（例えば、「鉢のサイズ」）およびその値（例えば、「６インチの鉢」）に基づいて、インターフェース３００は、企画スケジュールを表示する。
【００５５】
本発明のいくつかの実装形態では、企画スケジュールは、様々なマイルストーン（「発芽１」、「発芽２」、「肥大および花芽形成」、「肥大開始」および「移植して完成」として図３に示される）を含み得る。いくつかの実装形態では、企画スケジュールは、各マイルストーンに対する光量および温度などの成長条件の推奨事項を含む。いくつかの実装形態では、企画スケジュールは、各マイルストーンと関連付けられた植物のタイミングまたは齢を含む。
【００５６】
図４は、本発明の様々な実装形態による、照明入力を受信し、照明入力に基づいて企画スケジュールを表示するインターフェース４００のスクリーンショット図である。示されるように、インターフェース４００は、図３に示される「完成サイズ」の代わりに「光」成長条件が選択された際に結果として生じる企画スケジュールを表示する。示されるように、インターフェース４００は、企画スケジュールに対する異なる光レベルの影響を決定することができるように、調整可能な光レベル入力（とはいえ、理解されるように、他のタイプの入力を使用することができる）を表示する。いくつかの実装形態では、図４に示されるように、各マイルストーンでの光レベルを調整して、マイルストーンに対する入力光レベルの影響を決定することができる。
【００５７】
図５は、本発明の様々な実装形態による、植物種に関連する様々な情報を表示するインターフェース５００のスクリーンショット図である。本発明のいくつかの実装形態では、インターフェース５００は、植物種と関連付けられた多数の異なる情報を表示する。例えば、示されるように、インターフェース５００は、「プラグ／完成タイミング」、「播種前」、「培養サポート」、「最適スケジュール」、「環境」、「病害および害虫」および「トラブルシューティング」などの異なる情報に対応する多数の選択可能なタブを表示する。
【００５８】
示されるように、「プラグ／完成タイミング」タブは、異なる容器／プラグサイズに対する完成期に関連する情報を生じさせる。いくつかの実装形態では、播種から出荷までの平均収穫期間、プラグ段階の平均期間、および、移植から開花までの平均期間を表示することができる。これらの実装形態では、植物種に対する総合的な予測タイミングについて説明する情報が表示され、植物種を栽培すべきかどうか、および、植物種をいつ栽培すべきかについての決定を容易にする。
【００５９】
いくつかの実装形態では、インターフェース５００は、植物種に対する異なるマイルストーンおよび対応する時系列での期待事項を表示する。言い換えれば、インターフェース５００は、植物種の植物の異なる齢での様々なマイルストーンを表示することができる。例えば、「発芽１」、「発芽２」、「肥大および花芽形成」、「肥大開始」および「移植して完成」推定は、それらに対応する、マイルストーンが起こることが予測される齢と並べて表示することができる。
【００６０】
いくつかの実装形態では、インターフェース５００は、植物種の植物が、最適環境（本明細書に記載されるインターフェース６００などの他のインターフェースに表示することができる）に基づいて、プラグトレイ（「１２８カウント」、「２００カウント」および「２８８カウント」として示される）の同じサイズの鉢（「４インチの鉢」として示される）で成長する予測時期を表示する。このように、インターフェース５００は、最適環境が実現される場合に、異なるプラグサイズが、ある環境／容器において成長させて別の環境／容器に移植する適正な時間量に、どのように影響を及ぼすかについての理解を容易にする。
【００６１】
いくつかの実装形態では、インターフェース５００は、植物種の植物が、様々な（すなわち、非最適）環境に基づいて、プラグトレイ（「１２８カウント」、「２００カウント」および「２８８カウント」として示される）の異なるサイズの鉢（「６０６フラット」および「４インチ」の鉢として示される）で成長する予測時期を表示する。このように、インターフェース５００は、最適環境が実現されない場合に、異なるプラグサイズ、容器サイズおよび他の様々な環境条件が、ある環境／容器において成長させて別の環境／容器に移植する適正な時間量に、どのように影響を及ぼすかについての理解を容易にする。
【００６２】
図６は、本発明の様々な実装形態による、特定の植物種に対する最適スケジュールを表示するインターフェース６００のスクリーンショット図である。いくつかの実装形態では、最適スケジュールは、特定の鉢および／またはプラグサイズに基づく。言い換えれば、異なる容器／環境は、異なる最適スケジュールと関連付けることができる。例えば、示されるように、インターフェース６００は、１２８プラグに基づく４インチの鉢で「ゼラニウムマーベリック」を成長させるための最適スケジュールを表示する。
【００６３】
本発明のいくつかの実装形態では、インターフェース６００は、１つまたは複数の最適な成長条件を表示する。例えば、示されるように、インターフェース６００は、「湿気」、肥料（「Ｆｅｒｔ」）、「ｐＨ」、電気伝導度（「ＥＣ」）、植物成長調整剤（「ＰＧＲ」）、温度（「Ｔｅｍｐ」）および「光レベル」成長条件、ならびに、その各々に対応する最適レベルを表示する。
【００６４】
本発明のいくつかの実装形態では、インターフェース６００は、そのような最適な成長条件をいつ適用すべきかを示す。言い換えれば、インターフェース６００は、栽培されている植物の異なる齢に対して適用すべき最適な成長条件を表示する。例えば、示されるように、インターフェース６００は、異なる日数（すなわち、齢）に対する最適な成長条件を表示する。
【００６５】
本発明のいくつかの実装形態では、インターフェース６００は、最適な成長条件を異なるマイルストーンと関連付ける。例えば、示されるように、最適な成長条件は、「発芽１」マイルストーンと関連付けられ、そこでは、異なる最適な成長条件が発芽と関連付けられる。いくつかの実装形態では、インターフェース６００は、マイルストーンの間に成長を導くための情報を提供する各マイルストーンに対する記述を含む。
【００６６】
本発明のいくつかの実装形態では、インターフェース６００は、植物の発育を導く１つまたは複数のチェックポイントを示す。いくつかの実装形態では、各チェックポイントは植物の齢と関連付けられ、その結果、各齢において、チェックポイントを使用して、適正な環境条件および／または発育進行が満たされていることを保証することができる。いくつかの実装形態では、チェックポイント（ｐＨレベルと関連付けられたものなど）のいくつかまたはすべては、コンピュータモデル１３７などのコンピュータモデルから得られる。
【００６７】
本発明のいくつかの実装形態では、インターフェース６００は、表示されている植物種のモデル植物の写真を伝達する。写真は、成長させている植物の目標のまたは最適な外観を示すことができる。言い換えれば、写真は、モデル植物を最適な成長条件（図６に示される成長条件など）下で成長させた際に撮影された。このように、ユーザ／栽培者は、植物がどのように見えるべきかについての期待を得ることも、栽培されている植物がモデル植物と同様の外観（すなわち、表現型特性）を有するかどうかを決定するため、栽培されている植物を写真と比較することもできる。いくつかの実装形態では、写真は、齢と関連付けられる。例えば、図６に示されるように、写真は、４日目のモデル植物の外観を示す。
【００６８】
図７は、本発明の様々な実装形態による、「ベゴニアバダビング（Ｂｅｇｏｎｉａ  Ｂａｄａ  Ｂｉｎｇ）」などの特定の植物種に対する様々なマイルストーンを含む最適スケジュールを表示するインターフェース７００のスクリーンショット図である。いくつかの実装形態では、インターフェース７００は、最適な成長条件およびマイルストーン記述／ガイドなど、インターフェース６００によって表示された情報と同様の情報を表示する。インターフェース７００は、異なるマイルストーン（「発芽１」、「発芽２」、「肥大および花芽形成」、「肥大開始」および「移植肥大」）および各マイルストーンに対応する特定の齢での写真を示す。いくつかの実装形態では、インターフェース７００は、特定の種と関連付けられた発育／進行の主要な培養ポイントを表示する。培養ポイントは、特定の種に対する一般知識および／または培養上の提案を含み得る。例えば、ベゴニアバダビングに対する主要なポイントは、いくつかある中で特に、開花が起こり得る時期および方法について説明する開花メカニズム、葉の色調のチェックや、成長培地、湿度、肥料および／または病害／害虫（キノコバエなど）のチェックなどの発育進行チェック、ならびに／あるいは、発育進行または奨事項を促進する他の記述を含み得る。
【００６９】
図８は、本発明の様々な実装形態による、栽培されている植物の比較を促進する作物評価を表示するインターフェース８００のスクリーンショット図である。いくつかの実装形態では、作物評価インターフェース８００は、主要なポイント、マイルストーン、最適な成長条件と関連付けられた写真および各マイルストーンに対する記述など、インターフェース７００と同様の情報を表示する。いくつかの実装形態では、作物評価インターフェース８００は、写真を、最適条件に従って成長させたモデル植物の写真と比較することができるように、栽培されている植物の写真を受信して表示する。このように、栽培者は、栽培されている植物の表現型特性をモデル植物の表現型特性と比較することによって、栽培されている植物の進行を追跡することができる。例えば、栽培者は、栽培されている植物の進行を評価するため、ある齢または異なる齢で栽培されている植物の１つまたは複数の写真をアップロードすることができる。アップロードされた（すなわち、受信された）写真は、後の表示のためにメモリに格納することも、リアルタイムで表示することもできる。
【００７０】
いくつかの実装形態では、受信され表示された写真は、マイルストーン写真に隣接して表示することができる。いくつかの実装形態では、受信された単一の写真は、撮影された植物の齢に従って表示することができる。例えば、受信された写真は、時系列方式で、撮影された植物の齢に基づいて、１つまたは複数のマイルストーンのすぐ近くに表示することができる。いくつかの実装形態では、異なる齢での植物の複数の写真を、マイルストーン写真とともに表示することができる。
【００７１】
図９は、本発明の様々な実装形態による、植物の成長に対する推奨事項を生成するためのプロセス９００の一例を示すフロー図である。図９（および他の図面）に描写される様々な処理動作および／またはデータフローは、本明細書でさらに詳細に説明される。フロー図に対して説明される動作は、上記で詳細に説明されるシステムコンポーネントのいくつかまたはすべてを使用して遂行することができ、本発明のいくつかの実装形態では、様々な動作を異なる順番で実行することができる。本発明の様々な実装形態によれば、描写されるフロー図に示される動作のいくつかまたはすべてとともに、追加の動作を実行することができる。さらに別の実装形態では、１つまたは複数の動作を同時に実行することができる。それに従って、示される（そして、以下でさらに詳細に説明される）動作は、本質的な例であり、それなりに制限するものと見なしてはならない。
【００７２】
本発明のいくつかの実装形態では、動作９０２において、プロセス９００は、特定の齢を経た、ある環境で栽培されている植物の成長条件データおよび表現型データを受信する工程を含み得、栽培されている植物は、植物種のメンバーであり、成長条件データは、特定の齢でのその環境の成長条件を示し、表現型データは、特定の齢で観測された植物の特性を示す。
【００７３】
本発明のいくつかの実装形態では、動作９０４において、プロセス９００は、成長条件データおよび表現型データを、実験データに基づく、植物種の発育の最適な進行を示すコンピュータモデルと比較する工程を含み得る。最適な進行は、異なる齢での最適な成長条件および最適な表現型を含む。
【００７４】
本発明のいくつかの実装形態では、動作９０６において、プロセス９００は、栽培されている植物がコンピュータモデル、成長条件データおよび表現型データに基づいて最適に発育しているかどうかを決定する工程を含み得る。
【００７５】
本発明のいくつかの実装形態では、動作９０８において、プロセス９００は、特定の植物が最適に発育しているかどうかに基づいて特定の成長条件を推奨する工程を含み得る。例えば、特定の植物が小さ過ぎるか、またはそうでなければ、最適に発育していない場合は、プロセス９００は、コンピュータモデルに従って、光量を増加もしくは減少すること、または、別の成長条件を調整することを推奨することができる。
【００７６】
図１０は、本発明の様々な実装形態による、企画スケジュールを生成するためのプロセス１０００の一例を示すフロー図である。いくつかの実装形態では、動作１００２において、プロセス１０００は、インターフェースを介して、植物種および入力パラメータの選択を受信する工程を含み得、入力パラメータは、植物種の植物の発育に影響を及ぼす成長条件と関連付けられる。いくつかの実装形態では、動作１００４において、プロセス１０００は、コンピュータモデル、選択された入力パラメータおよび選択された植物種に基づいて企画スケジュールを決定する工程を含み得、企画スケジュールは、発育マイルストーンを含む。いくつかの実装形態では、コンピュータモデルは、入力パラメータに対応する実験データを使用して植物の発育をモデル化する。いくつかの実装形態では、動作１００６において、プロセス１０００は、企画スケジュールを伝達する工程を含み得る。いくつかの実装形態では、企画スケジュールは、１つまたは複数のインターフェースを介して伝達することができる。インターフェースは、ウェブページ、モバイルアプリケーションもしくは他のインターフェースを含むか、または、ウェブページ、モバイルアプリケーションもしくは他のインターフェースを介して伝達することができる。
【００７７】
図１１は、本発明の様々な実装形態による、植物種の植物の発育をモデル化するコンピュータモデルを生成するためのプロセス１１００の一例を示すフロー図である。いくつかの実装形態では、動作１１０２において、プロセス１１００は、植物種のモデル植物の発育と関連付けられた実験データを受信する工程を含み得、実験データは、異なる齢での成長条件および異なる齢でのモデル植物の表現型特性の観測を含み、成長条件は、モデル植物の発育に影響を及ぼす。
【００７８】
いくつかの実装形態では、動作１１０４において、プロセス１１００は、異なる齢での最適な表現型特性および異なる齢での対応する成長条件を決定する工程を含み得る。いくつかの実装形態では、動作１１０６において、プロセス１１００は、最適な表現型特性および対応する成長条件に基づいてコンピュータモデルを生成する工程を含み得、コンピュータモデルは、異なる齢での成長条件および最適な表現型特性に基づく植物種の発育の最適な進行を示す。
【００７９】
本発明の実装形態は、ハードウェア、ファームウェア、ソフトウェアまたはそれらの任意の適切な組合せで作ることができる。また、本発明の実装形態は、１つまたは複数のプロセッサによって読み取ることも実行することもできる機械可読媒体上に格納される命令として実装することもできる。有形の機械可読媒体は、機械（例えば、コンピューティングデバイス）によって読み取ることが可能な形式で情報を格納または送信するための有形の非一時的ないかなるメカニズムも含み得る。例えば、有形の機械可読記憶媒体は、読み取り専用メモリ、ランダムアクセスメモリ、磁気ディスク記憶媒体、光記憶媒体、フラッシュメモリデバイスおよび他の有形の記憶媒体を含み得る。さらに、ファームウェア、ソフトウェア、ルーチンまたは命令は、本発明の特定の例示的な実装形態に関して上記の開示において説明することができ、ある特定の動作を実行することができる。しかし、そのような説明は単に便宜上のものであり、実際には、そのような動作は、ファームウェア、ソフトウェア、ルーチンまたは命令を実行するコンピューティングデバイス、プロセッサ、コントローラまたは他のデバイスによって生じることが明らかになるであろう。
【００８０】
本発明の実装形態は、特定の特徴、構造または特性を含むものとして説明することができるが、あらゆる態様または実装形態が、必ずしも、特定の特徴、構造または特性を含むとは限らない。さらに、特定の特徴、構造または特性が態様または実装形態に関連して説明される場合、明確に記載されているかどうかに関わらず、そのような特徴、構造または特性を他の実装形態に関連して含めることができることが理解されよう。したがって、本発明の範囲または精神から逸脱することなく、提供されている説明に対して様々な変更および修正を行うことができる。それなりに、本明細書および図面は、単なる例示として見なすべきであり、本発明の範囲は、添付の特許請求の範囲によってのみ決定すべきである。
【図１】
2015502140.tif 000003
【図３】
2015502140.tif 000004
【図４】
2015502140.tif 000005
【図５】
2015502140.tif 000006
【図９】
2015502140.tif 000007
【図１０】
2015502140.tif 000008
【図１１】
2015502140.tif 000009
【図２】
2015502140.tif 000010
【図６】
2015502140.tif 000011
【図７】
2015502140.tif 000012
【図８】
2015502140.tif 000013
【国際調査報告】
2015502140.tif 000014